(57)【特許請求の範囲】
【請求項１】
支持体上に配線部材が積層され、前記配線部材上に半導体チップを搭載後、前記支持体が除去される配線基板であって、
支持体と、前記支持体の一方の側に形成された配線部材と、を有し、
前記支持体は、一方の側の最外層及び他方の側の最外層に夫々金属箔が配されるよう、金属箔と樹脂層とを交互に積層して形成され、
前記一方の側の最外層となる第１最外金属箔は、厚箔上に前記厚箔よりも薄い薄箔が剥離可能な状態で貼着された構造であり、前記厚箔が前記樹脂層と接し前記薄箔の一方の面が外側になるように配され、
前記配線部材は、前記薄箔の一方の面上に配線層と樹脂からなる絶縁層とを交互に積層して形成され、
前記金属箔の層数と前記配線層の層数とが同一であり、
前記支持体全体の厚さと前記配線部材全体の厚さとの差が±５０％以下である配線基板。
【請求項２】
前記樹脂層は、第１樹脂層と、第２樹脂層と、を有し、
前記第１最外金属箔は、前記厚箔が前記第１樹脂層と接し前記薄箔の一方の面が外側になるように配され、
前記他方の側の最外層となる第２最外金属箔は、一方の面が前記第２樹脂層と接し他方の面が外側になるように配され、
前記第１樹脂層と前記第２樹脂層との間には他の金属箔が積層されている請求項１記載の配線基板。
【請求項３】
第２積層体上に第１積層体が接着された支持体であって、
前記第１積層体は、一方の側の最外層及び他方の側の最外層に夫々金属箔が配されるよう、金属箔と樹脂層とを交互に積層して形成され、
前記一方の側の最外層となる第１最外金属箔は、厚箔上に前記厚箔よりも薄い薄箔が剥離可能な状態で貼着された構造であり、側面が被覆され前記薄箔の一方の面が露出するように前記樹脂層に埋設され、
前記他方の側の最外層となる第２最外金属箔は、側面が被覆され他方の面が露出するように前記樹脂層に埋設され、
前記第２積層体は、前記第１積層体と同一層構成であって、前記第１積層体とは上下が反転して配され、
前記第１積層体と前記第２積層体の、夫々の前記第２最外金属箔の露出面同士が接し、夫々の前記樹脂層の前記第２最外金属箔の露出面の外周側同士が接着され、
前記第１積層体及び前記第２積層体の前記薄箔の一方の面が、配線層と樹脂からなる絶縁層とが交互に積層されてなる配線部材が積層される面であり、
前記第１積層体及び前記第２積層体の金属箔の層数と、前記配線部材の配線層の層数とが同一であり、
前記第１積層体と前記第２積層体の合計の厚さと前記配線部材全体の厚さとの差が±５０％以下であることを特徴とする支持体。
【請求項４】
前記第１積層体及び前記第２積層体の夫々において、
前記樹脂層は、第１樹脂層と、第２樹脂層と、を有し、
前記第１最外金属箔は、前記薄箔の一方の面が露出するように前記第１樹脂層に埋設され、
前記第２最外金属箔は、側面が被覆され他方の面が露出するように前記第２樹脂層に埋設され、
前記第１樹脂層と前記第２樹脂層との間には他の金属箔が積層されていることを特徴とする請求項３記載の支持体。
【請求項５】
前記他の金属箔の側面の一部及び一方の面は前記第１樹脂層に被覆され、前記他の金属箔の側面の残部及び他方の面は前記第２樹脂層に被覆されていることを特徴とする請求項４記載の支持体。
【請求項６】
第２積層体上に第１積層体が接着された支持体を作製する支持体作製工程と、
前記第１積層体上に配線層及び樹脂からなる絶縁層を交互に積層して第１配線部材を作製すると共に、前記第２積層体上に配線層及び樹脂からなる絶縁層を交互に積層して第２配線部材を作製する配線部材作製工程と、
前記第１積層体と前記第２積層体とを切り離し、前記第１積層体上に前記第１配線部材が積層された第１配線基板、及び前記第２積層体上に前記第２配線部材が積層された第２配線基板を作製する分割工程と、を有し、
前記支持体作製工程では、
前記第１積層体は、一方の側の最外層及び他方の側の最外層に夫々金属箔が配されるよう、金属箔と樹脂層とを交互に積層して形成され、
前記一方の側の最外層となる第１最外金属箔は、厚箔上に前記厚箔よりも薄い薄箔が剥離可能な状態で貼着された構造であり、前記薄箔の一方の面が露出するように前記樹脂層に埋設され、
前記他方の側の最外層となる第２最外金属箔は、側面が被覆され他方の面が露出するように前記樹脂層に埋設され、
前記第２積層体は、前記第１積層体と同一層構成であって、前記第１積層体とは上下が反転して配され、
前記第１積層体と前記第２積層体の、夫々の前記第２最外金属箔の露出面同士が接し、夫々の前記樹脂層の前記第２最外金属箔の露出面の外周側同士が接着されている支持体を作製し、
前記配線部材作製工程では、
前記第１積層体を構成する金属箔の層数と前記第１配線部材を構成する前記配線層の層数とが同一となるように、前記第１最外金属箔の前記薄箔上に前記第１配線部材を作製し、
前記第２積層体を構成する金属箔の層数と前記第２配線部材を構成する前記配線層の層数とが同一となるように、前記第２最外金属箔の前記薄箔上に前記第２配線部材を作製し、
前記分割工程では、夫々の前記樹脂層の前記第２最外金属箔の露出面の外周側同士が接着されている部分よりも内側において、前記支持体、前記第１配線部材及び前記第２配線部材を厚さ方向に切断し、前記第１積層体と前記第２積層体とを切り離し、
前記第１積層体全体の厚さと前記第１配線部材全体の厚さとの差が±５０％以下となり、前記第２積層体全体の厚さと前記第２配線部材全体の厚さとの差が±５０％以下となる配線基板の製造方法。
【請求項７】
前記支持体作製工程では、
前記第２積層体となる前記第１最外金属箔を前記薄箔を下側に向けて配し、
前記第１最外金属箔の前記厚箔上に、前記第２積層体となる半硬化状態の樹脂層及び前記第２最外金属箔を順次積層し、
更に、前記第１積層体となる前記第２最外金属箔及び半硬化状態の樹脂層を順次積層し、
更に、前記第１積層体となる前記第１最外金属箔を前記薄箔を上側に向けて積層し、
前記半硬化状態の樹脂層を加熱しながら、前記第１積層体となる前記第１最外金属箔を前記第２積層体となる前記第１最外金属箔側に押圧して前記半硬化状態の樹脂層を硬化させ、
前記第１積層体と前記第２積層体の、夫々の前記第２最外金属箔の対向する面同士が接し、夫々の前記樹脂層の前記第２最外金属箔の対向する面の外周側同士が接着されている支持体を作製する請求項６記載の配線基板の製造方法。
【請求項８】
前記第１積層体及び前記第２積層体の夫々において、
前記樹脂層は、第１樹脂層と、第２樹脂層とを有し、
前記第１最外金属箔は、前記薄箔の一方の面が露出するように前記第１樹脂層に埋設され、
前記第２最外金属箔は、側面が被覆され他方の面が露出するように前記第２樹脂層に埋設され、
前記第１樹脂層と前記第２樹脂層との間には他の金属箔が積層される請求項６又は７記載の配線基板の製造方法。
【請求項９】
前記他の金属箔の側面の一部及び一方の面は前記第１樹脂層に被覆され、前記他の金属箔の側面の残部及び他方の面は前記第２樹脂層に被覆される請求項８記載の配線基板の製造方法。
【請求項１０】
請求項６乃至９の何れか一項記載の配線基板の製造方法で製造された前記第１配線基板の前記第１配線部材上に、半導体チップ又は半導体チップを備えた他の配線基板を実装する工程と、
前記半導体チップを封止する封止樹脂を形成する工程と、
前記封止樹脂を形成後、前記第１最外金属箔の前記厚箔と前記薄箔との界面を剥離して、前記薄箔を前記第１配線部材側に残し、前記第１積層体を構成する他の部材を除去する工程と、
前記薄箔をエッチングで除去する工程と、を有する半導体パッケージの製造方法。
【発明の詳細な説明】
【技術分野】
【０００１】
本発明は、支持体、配線基板及びその製造方法、並びに半導体パッケージの製造方法に関する。
【背景技術】
【０００２】
配線基板の薄型化が進み、配線層が２層や３層の配線基板の厚さは、１００μｍを切る程度までになりつつある。又、更なる配線基板の薄型化も検討されている。このような薄型の配線基板は、基板自体の剛性が低いため、製造工程におけるハンドリング性が低下する等の問題が懸念される。そこで、基板自体の剛性を確保するために、支持体上に配線部材を積層した配線基板が提案されている。
【先行技術文献】
【特許文献】
【０００３】
【特許文献１】特開２０１３−１３８１１５号公報
【発明の概要】
【発明が解決しようとする課題】
【０００４】
しかしながら、支持体上に配線部材を積層した従来の配線基板では、配線部材に対する支持体の層構造が適正化されておらず、配線部材に対して必要以上に厚い支持体が用いられていた。
【０００５】
本発明は、上記の点に鑑みてなされたものであり、配線部材に対応して層構造を適正化した支持体を備えた配線基板等を提供することを課題とする。
【課題を解決するための手段】
【０００６】
本配線基板は、支持体上に配線部材が積層され、前記配線部材上に半導体チップを搭載後、前記支持体が除去される配線基板であって、支持体と、前記支持体の一方の側に形成された配線部材と、を有し、前記支持体は、一方の側の最外層及び他方の側の最外層に夫々金属箔が配されるよう、金属箔と樹脂層とを交互に積層して形成され、前記一方の側の最外層となる第１最外金属箔は、厚箔上に前記厚箔よりも薄い薄箔が剥離可能な状態で貼着された構造であり、前記厚箔が前記樹脂層と接し前記薄箔の一方の面が外側になるように配され、前記配線部材は、前記薄箔の一方の面上に配線層と樹脂からなる絶縁層とを交互に積層して形成され、前記金属箔の層数と前記配線層の層数とが同一であり、前記支持体全体の厚さと前記配線部材全体の厚さとの差が±５０％以下であることを要件とする。
【発明の効果】
【０００７】
開示の技術によれば、配線部材に対応して層構造を適正化した支持体を備えた配線基板等を提供できる。
【図面の簡単な説明】
【０００８】
【図１】第１の実施の形態に係る配線基板を例示する図である。
【図２】第１の実施の形態に係る配線基板の製造工程を例示する図（その１）である。
【図３】第１の実施の形態に係る配線基板の製造工程を例示する図（その２）である。
【図４】第１の実施の形態に係る配線基板の製造工程を例示する図（その３）である。
【図５】第１の実施の形態に係る半導体パッケージの製造工程を例示する図（その１）である。
【図６】第１の実施の形態に係る半導体パッケージの製造工程を例示する図（その２）である。
【図７】第２の実施の形態に係る配線基板を例示する断面図である。
【図８】第２の実施の形態に係る配線基板の製造工程を例示する図（その１）である。
【図９】第２の実施の形態に係る配線基板の製造工程を例示する図（その２）である。
【図１０】第２の実施の形態に係る半導体パッケージの製造工程を例示する図（その１）である。
【図１１】第２の実施の形態に係る半導体パッケージの製造工程を例示する図（その２）である。
【図１２】第２の実施の形態の変形例に係る配線基板を例示する断面図である。
【図１３】第２の実施の形態の変形例に係る半導体パッケージの製造工程を例示する図（その１）である。
【図１４】第２の実施の形態の変形例に係る半導体パッケージの製造工程を例示する図（その２）である。
【図１５】第２の実施の形態の変形例に係る半導体パッケージの製造工程を例示する図（その３）である。
【発明を実施するための形態】
【０００９】
以下、図面を参照して発明を実施するための形態について説明する。なお、各図面において、同一構成部分には同一符号を付し、重複した説明を省略する場合がある。
【００１０】
〈第１の実施の形態〉
［第１の実施の形態に係る配線基板の構造］
まず、第１の実施の形態に係る配線基板の構造について説明する。図１は、第１の実施の形態に係る配線基板を例示する図であり、図１（ｂ）は平面図であり、図１（ａ）は図１（ｂ）のＡ−Ａ線に沿う断面図である。
【００１１】
図１を参照するに、配線基板１は、破線Ｃで囲まれた複数の領域を備えたシート状の配線基板である。配線基板１は、半導体チップの搭載や封止樹脂の形成等の工程を経たのち、支持体が除去され、最終的には破線Ｃに沿って切断され、個片化された複数の半導体パッケージとなる。なお、図１の例では、配線基板１は、破線Ｃで囲まれた２１の領域を有するが、領域の数はこれには限定されない。
【００１２】
なお、本実施の形態では、便宜上、配線基板１のソルダーレジスト層２６側を上側又は一方の側、銅箔１１側を下側又は他方の側とする。又、各部位のソルダーレジスト層２６側の面を一方の面又は上面、銅箔１１側の面を他方の面又は下面とする。但し、配線基板１は天地逆の状態で用いることができ、又は任意の角度で配置することができる。又、平面視とは対象物を支持体１０１の一方の面１０ａの法線方向から視ることを指し、平面形状とは対象物を支持体１０１の一方の面１０ａの法線方向から視た形状を指すものとする。
【００１３】
配線基板１は、支持体１０１と、支持体１０１の一方の面１０ａ側に積層された配線部材２０とを有する。支持体１０１は、一方の側の最外層及び他方の側の最外層に夫々金属箔が配されるよう、金属箔と樹脂層とを交互に積層して形成されている。具体的には、支持体１０１は、銅箔１１、樹脂層１２及びキャリア付き銅箔１３が順次積層した構造とされており、配線部材２０を支持すると共に、配線基板１全体の強度を向上し、反りを低減する機能を有する。
【００１４】
銅箔１１の厚さは、例えば、７〜５０μｍ程度とすることができる。樹脂層１２は、例えば、非感光性である熱硬化性のエポキシ系樹脂やポリイミド系樹脂等から形成することができる。樹脂層１２の厚さは、例えば、１０〜５０μｍ程度とすることができる。樹脂層１２として、熱硬化性のエポキシ系樹脂やポリイミド系樹脂等を予めガラス繊維やアラミド繊維等の織布や不織布に含浸させた所謂プリプレグを用いると、支持体１０１の強度の確保や反り低減の観点から好適である。樹脂層１２は、シリカ（ＳｉＯ２）等のフィラーを含有しても構わない。
【００１５】
キャリア付き銅箔１３は、例えば銅からなる厚さ１０〜５０μｍ程度の厚箔（キャリア箔）１３ｂ上に、剥離層（図示せず）を介して、例えば銅からなる厚さ１．５〜５μｍ程度の薄箔１３ａが剥離可能な状態で貼着された構造を有する。厚箔１３ｂは、薄箔１３ａの取り扱いを容易にするための支持材として設けられている。厚箔１３ｂは、樹脂層１２により、銅箔１１と接着されている。薄箔１３ａの上面が、支持体１０１の一方の面１０ａとなる。
【００１６】
配線部材２０は、配線層２１、絶縁層２２、配線層２３及びソルダーレジスト層２６が順次積層した構造とされている。配線層２１は、支持体１０１の一方の面１０ａに形成されているパッドや配線パターンである。配線層２１の材料としては、例えば、銅（Ｃｕ）等を用いることができる。配線層２１の厚さは、例えば、５〜２０μｍ程度とすることができる。
【００１７】
絶縁層２２は、支持体１０１の一方の面１０ａに、配線層２１を被覆するように形成されている。絶縁層２２の材料としては、例えば、熱硬化性のエポキシ系樹脂やポリイミド系樹脂等を用いることができる。絶縁層２２の厚さは、例えば１０〜５０μｍ程度とすることができる。絶縁層２２として、熱硬化性のエポキシ系樹脂等を予めガラス繊維やアラミド繊維等の織布や不織布に含浸させた所謂プリプレグを用いると、配線部材２０の強度の確保や反り低減の観点から好適である。絶縁層２２は、シリカ（ＳｉＯ２）等のフィラーを含有しても構わない。
【００１８】
配線層２３は、絶縁層２２の一方の側に形成されており、配線層２１と電気的に接続されている。配線層２３は、絶縁層２２を貫通し配線層２１の上面を露出するビアホール２２ｘ内に充填されたビア配線、及び絶縁層２２の上面に形成された配線パターンを含んで構成されている。ビアホール２２ｘは、ソルダーレジスト層２６側に開口されている開口部の径が配線層２１の上面によって形成された開口部の底面の径よりも大となる逆円錐台状の凹部とされている。ビアホール２２ｘの開口部の径は、例えば５０〜１００μｍ程度とすることができる。配線層２３の材料や配線層２３を構成する配線パターンの厚さは、例えば、配線層２１と同様とすることができる。
【００１９】
ソルダーレジスト層２６は、絶縁層２２の上面に、配線層２３を選択的に露出するように形成されている。ソルダーレジスト層２６の材料としては、例えば、フェノール系樹脂やポリイミド系樹脂等を主成分とする感光性の絶縁性樹脂等を用いることができる。又、エポキシ系樹脂やポリイミド系樹脂を主成分とする非感光性の絶縁性樹脂（熱硬化性樹脂）を用いてもよい。ソルダーレジスト層２６は、シリカ（ＳｉＯ２）やアルミナ等のフィラーを含有しても構わない。
【００２０】
ソルダーレジスト層２６は、開口部２６ｘを有し、開口部２６ｘの底部には配線層２３の一部が露出している。開口部２６ｘの底部に露出する配線層２３は、例えば、半導体チップ等の電子部品と電気的に接続するための電子部品搭載用のパッドとして機能する。
【００２１】
なお、開口部２６ｘの底部に露出する配線層２３の上面に表面処理層（図示せず）を形成してもよい。表面処理層の例としては、Ａｕ層や、Ｎｉ／Ａｕ層（Ｎｉ層とＡｕ層をこの順番で積層した金属層）、Ｎｉ／Ｐｄ／Ａｕ層（Ｎｉ層とＰｄ層とＡｕ層をこの順番で積層した金属層）等を挙げることができる。又、開口部２６ｘの底部に露出する配線層２３の上面に、ＯＳＰ（Organic Solderability Preservative）処理等の酸化防止処理を施して表面処理層を形成してもよい。なお、ＯＳＰ処理により形成される表面処理層は、アゾール化合物やイミダゾール化合物等からなる有機被膜である。
【００２２】
本実施の形態では、支持体１０１を構成する金属箔（銅箔）の層数と、配線部材２０を構成する配線層の層数を同一としている。すなわち、支持体１０１を構成する金属箔は銅箔１１及びキャリア付き銅箔１３の２層であり、配線部材２０を構成する配線層は配線層２１及び２３の２層である。なお、キャリア付き銅箔１３は、薄箔１３ａ及び厚箔１３ｂを有するが、薄箔１３ａが厚箔１３ｂに対して十分に薄いため、強度や反りを検討するに際しては、１層と考えることが合理的である。
【００２３】
このように、配線基板１において、支持体１０１を構成する金属箔（銅箔）の層数と、配線部材２０を構成する配線層の層数を同一（共に２層）とすることで、配線基板１が上下対称の層構造となるため、配線基板１を反りに強い構造とすることができる。又、支持体１０１を配線部材２０と同様に樹脂層と金属箔との積層構造とすることにより、比較的薄い支持体でも一定の強度を確保できる。
【００２４】
なお、支持体１０１及び配線部材２０を構成する各層の厚さを調整して、支持体１０１全体の厚さと配線部材２０全体の厚さとを同程度とすることにより、上下のバランスが向上するため、反りに強い構造となる。
【００２５】
仮に、支持体１０１全体の厚さと配線部材２０全体の厚さとが大きく異なると、配線基板１の剛性は確保できても、支持体１０１と配線部材２０との熱膨張係数等の物性値の差異から、配線基板１に反りが生じるおそれが高くなる。そのため、支持体１０１全体の厚さと配線部材２０全体の厚さとは、できるだけ均等にすることが好ましい。例えば、支持体１０１全体の厚さと配線部材２０全体の厚さとの差は、±５０％以下であることが好ましく、±２０％以下であることが更に好ましい。
【００２６】
又、配線基板１の薄型化が進むと、配線基板１の剛性確保のため、支持体１０１全体の厚さを配線部材２０全体の厚さ以上とすることになるが、この場合にも、反り抑制の観点からすると、支持体１０１全体の厚さが配線部材２０全体の厚さの＋５０％以下であることが好ましく、＋２０％以下であることが更に好ましい。
【００２７】
又、反り抑制の観点からすると、支持体１０１の樹脂層と配線部材２０の絶縁層には、同じ組成の絶縁性樹脂を用いることが好ましい。
【００２８】
［第１の実施の形態に係る配線基板等の製造方法］
次に、第１の実施の形態に係る配線基板の製造方法について説明する。又、第１の実施の形態に係る配線基板に半導体チップを搭載した半導体パッケージの製造方法について説明する。図２〜図４は、第１の実施の形態に係る配線基板の製造工程を例示する図である。図５及び図６は、第１の実施の形態に係る半導体パッケージの製造工程を例示する図である。
【００２９】
まず、図２（ａ）及び図２（ｂ）に示す工程では、支持体１０２（第２積層体）上に支持体１０１を有する支持体１０を作製する（図２（ａ）は断面図、図２（ｂ）は平面図である）。ここでは、樹脂層１２としてプリプレグを用いる例を示すが、要求される強度に応じて、ガラスクロス等を有しない樹脂のみから樹脂層１２を形成してもよい。なお、支持体１０において、支持体１０１を第１積層体、支持体１０２を第２積層体と称する場合がある。
【００３０】
支持体１０を作製するには、ガラス繊維やアラミド繊維等の織布や不織布にエポキシ系樹脂等の樹脂を含侵させたプリプレグ１２ａを２個準備する。プリプレグ１２ａは、Ｂ−ステージ（半硬化状態）である。プリプレグ１２ａの平面形状は、例えば、縦及び横が４００〜５００ｍｍ程度の矩形状とすることができる。プリプレグ１２ａの厚さは、例えば、１０〜５０μｍ程度とすることができる。
【００３１】
又、銅箔１１、薄箔１３ａ及び厚箔１３ｂを有するキャリア付き銅箔１３を２個ずつ準備する。キャリア付き銅箔１３の平面形状は、プリプレグ１２ａの平面形状よりも少し小さい矩形状とすることができる。銅箔１１の平面形状は、キャリア付き銅箔１３の平面形状よりも更に少し小さい矩形状とすることができる。銅箔１１及びキャリア付き銅箔１３の厚さ等は前述の通りである。
【００３２】
次に、図２（ａ）矢印上側に示すように、一番下に、支持体１０２となるキャリア付き銅箔１３を薄箔１３ａを下側に向けて配し、厚箔１３ｂ上に、支持体１０２となるプリプレグ１２ａ及び銅箔１１を順次積層する。更に、支持体１０１となる銅箔１１及びプリプレグ１２ａを順次積層し、更に、支持体１０１となるキャリア付き銅箔１３を薄箔１３ａを上側に向けて積層する。なお、各部材は、夫々の中心が略一致するように順次積層する。
【００３３】
次に、例えば、真空雰囲気で１９０〜２３０℃程度の温度で各プリプレグ１２ａを加熱しながら、支持体１０１となるキャリア付き銅箔１３を支持体１０２となるキャリア付き銅箔１３側に押圧して各プリプレグ１２ａを硬化させる。これにより、図２（ａ）の矢印下側に示すように、各プリプレグ１２ａが硬化して樹脂層１２となり、支持体１０２と支持体１０１とが積層された支持体１０が作製される。
【００３４】
支持体１０１では、キャリア付き銅箔１３が樹脂層１２の上面側に埋設されて樹脂層１２と接着され、銅箔１１が樹脂層１２の下面側に埋設されて樹脂層１２と接着されている。キャリア付き銅箔１３の上面（薄箔１３ａの上面）は樹脂層１２の上面から露出しており、キャリア付き銅箔１３の側面は樹脂層１２に被覆されている。キャリア付き銅箔１３の薄箔１３ａの上面は、例えば、樹脂層１２の上面と面一とすることができる。銅箔１１の下面は樹脂層１２の下面から露出しており、銅箔１１の側面は樹脂層１２に被覆されている。銅箔１１の下面は、例えば、樹脂層１２の下面と面一とすることができる。
【００３５】
支持体１０２は、便宜上、支持体１０１と別符号としているが、上下が反転しているだけで、支持体１０１と同一層構成の同一物である。支持体１０１の銅箔１１の下面（露出面）と支持体１０２の銅箔１１の上面（露出面）とは接しているが、両者は接着はされていない。支持体１０１の樹脂層１２の銅箔１１の下面（露出面）の外周側（銅箔１１が存在しいない領域）と支持体１０２の樹脂層１２の銅箔１１の上面（露出面）の外周側（銅箔１１が存在しいない領域）とは接着されている。
【００３６】
なお、図２（ｂ）において、２点鎖線Ｄで囲まれた各領域は、シート状の配線基板１となる領域を示している。つまり、２点鎖線Ｄで囲まれた各領域は、最終的には２点鎖線Ｄに沿って切断され、個片化された複数の配線基板１（図１参照）となる。２点鎖線Ｄで囲まれた各領域は、平面視において、銅箔１１の外縁部よりも内側の領域に配されている。なお、図２（ｂ）の例では、２点鎖線Ｄで囲まれた１０の領域が示されているが、領域の数はこれには限定されない。
【００３７】
なお、以降は、図２（ｂ）の２点鎖線Ｄで囲まれた１つの配線基板１となる領域内の、最終的に個片化されて半導体パッケージとなる領域（図１の破線Ｃで囲まれた領域に対応）の断面図を用いて各工程の説明を行う。
【００３８】
図３（ａ）〜図４（ｂ）に示す工程は、支持体１０の一方の面１０ａ（支持体１０１上）及び他方の面１０ｂ（支持体１０２上）に、夫々配線層及び絶縁層を交互に積層して配線部材２０を作製する工程である。支持体１０の一方の面１０ａ側の配線部材２０は、支持体１０１を構成する金属箔の層数と配線部材２０を構成する配線層の層数とが同一となるように作製される。同様に、支持体１０の他方の面１０ｂ側の配線部材２０は、支持体１０２を構成する金属箔の層数と配線部材２０を構成する配線層の層数とが同一となるように作製される。
【００３９】
まず、図３（ａ）に示す工程では、支持体１０（支持体１０１）の一方の面１０ａ及び支持体１０（支持体１０２）の他方の面１０ｂに配線層２１を形成する。具体的には、支持体１０の一方の面１０ａ及び他方の面１０ｂに、例えば、ドライフィルムレジスト等を用いて、配線層２１に対応する開口部を有するレジスト層を形成する。そして、各キャリア付き銅箔１３をめっき給電層に利用する電解めっき法等により、各開口部内に露出する支持体１０の一方の面１０ａ及び他方の面１０ｂに配線層２１を形成する。
【００４０】
配線層２１の材料としては、例えば、銅（Ｃｕ）等を用いることができる。なお、配線層２１の各キャリア付き銅箔１３と接する側に金（Ａｕ）層を形成し、その後パラジウム（Ｐｄ）層やニッケル（Ｎｉ）層、銅（Ｃｕ）層等を積層してもよい。配線層２１の厚さは、例えば、５〜２０μｍ程度とすることができる。配線層２１を形成後、レジスト層を除去する。
【００４１】
次に、図３（ｂ）に示す工程では、支持体１０の一方の面１０ａ及び他方の面１０ｂに、各々配線層２１を覆うように絶縁層２２を形成する。絶縁層２２の材料としては、例えば、フィルム状のエポキシ系樹脂やポリイミド系樹脂等を主成分とする非感光性の絶縁性樹脂（熱硬化性）を用いることができる。絶縁層２２として、熱硬化性のエポキシ系樹脂等を予めガラス繊維やアラミド繊維等の織布や不織布に含浸させた所謂プリプレグを用いてもよい。絶縁層２２の厚さは、例えば１０〜５０μｍ程度とすることができる。絶縁層２２は、シリカ（ＳｉＯ２）等のフィラーを含有しても構わない。
【００４２】
具体的には、支持体１０の一方の面１０ａ及び他方の面１０ｂに、各配線層２１を覆うようにフィルム状の未硬化状態の絶縁性樹脂をラミネートする。そして、ラミネートした絶縁性樹脂を押圧しつつ、絶縁性樹脂を硬化温度以上に加熱して硬化させ、絶縁層２２を形成する。なお、絶縁性樹脂を真空雰囲気中でラミネートすることにより、ボイドの巻き込みを防止できる。フィルムに代えて、液状又はペースト状の熱硬化性のエポキシ系樹脂やポリイミド系樹脂等を塗布後、硬化させて絶縁層２２を形成してもよい。
【００４３】
なお、絶縁層２２を形成する前に、各配線層２１の表面を粗化しておくと、配線層２１と絶縁層２２との密着性が向上し好適である。配線層２１の表面の粗化は、例えば、蟻酸を用いたウェットエッチングにより行うことができる。
【００４４】
次に、図３（ｃ）に示す工程では、各絶縁層２２に、各絶縁層２２を貫通し各配線層２１の表面を露出するビアホール２２ｘを形成する。ビアホール２２ｘは、例えば、ＣＯ２レーザ等を用いたレーザ加工法により形成できる。ビアホール２２ｘを形成後、デスミア処理を行い、ビアホール２２ｘの底部に露出する配線層２１の表面に付着した樹脂残渣を除去することが好ましい。
【００４５】
レーザ加工法により形成されたビアホール２２ｘは、ソルダーレジスト層２６を形成する側に開口されている開口部の面積が配線層２１の表面によって形成された開口部の底面の面積よりも大となる凹部とされている。例えば、ビアホール２２ｘの両側の開口部が円形であれば、ビアホール２２ｘは、円錐台状又は逆円錐台状の凹部となる。この場合、ビアホール２２ｘのソルダーレジスト層２６を形成する側に開口されている開口部の径は、例えば５０〜１００μｍ程度とすることができる。
【００４６】
次に、図４（ａ）に示す工程では、各絶縁層２２に配線層２３を積層する。配線層２３は、ビアホール２２ｘ内に充填されたビア配線、及び絶縁層２２上に形成された配線パターンを含んで構成される。配線層２３は、ビアホール２２ｘの底部に露出した配線層２１と電気的に接続される。配線層２３の材料としては、例えば、銅（Ｃｕ）等を用いることができる。配線層２３を構成する配線パターンの厚さは、例えば、５〜２０μｍ程度とすることができる。配線層２３は、セミアディティブ法やサブトラクティブ法等の各種の配線形成方法を用いて形成できる。
【００４７】
例えば、セミアディティブ法を用いて配線層２３を形成するには、まず、無電解めっき法又はスパッタ法により、銅（Ｃｕ）等からなるシード層（図示せず）を形成する。シード層は、ビアホール２２ｘの底部に露出した配線層２１の表面及びビアホール２２ｘの内壁面を含む絶縁層２２の表面全面に形成する。更に、シード層上に配線層２３に対応する開口部を備えたレジスト層（図示せず）を形成する。そして、シード層を給電層に利用した電解めっき法により、レジスト層の開口部に銅（Ｃｕ）等からなる電解めっき層（図示せず）を形成する。続いて、レジスト層を除去した後に、電解めっき層をマスクにして、電解めっき層に覆われていない部分のシード層をエッチングにより除去する。これにより、シード層上に電解めっき層が積層された配線層２３が形成される。
【００４８】
次に、図４（ｂ）に示す工程では、各絶縁層２２上に配線層２３を被覆するソルダーレジスト層２６を形成する。ソルダーレジスト層２６は、例えば、液状又はペースト状のフェノール系樹脂やポリイミド系樹脂等を主成分とする感光性の絶縁性樹脂を、配線層２３を被覆するように各絶縁層２２上にスクリーン印刷法、ロールコート法、又は、スピンコート法等で塗布することにより形成できる。或いは、例えば、フィルム状の感光性の絶縁性樹脂を、配線層２３を被覆するように各絶縁層２２上にラミネートすることにより形成してもよい。
【００４９】
そして、塗布又はラミネートした絶縁性樹脂を露光及び現像することでソルダーレジスト層２６に開口部２６ｘを形成する（フォトリソグラフィ法）。なお、エポキシ系樹脂やポリイミド系樹脂を主成分とする非感光性の絶縁性樹脂（熱硬化性樹脂）をソルダーレジスト層２６として用いる場合、開口部２６ｘは、レーザ加工法やブラスト処理等により形成してもよい。これにより、開口部２６ｘの底部に配線層２３の一部が露出する。開口部２６ｘの底部に露出する配線層２３は、例えば、半導体チップ等の電子部品と電気的に接続するための電子部品搭載用のパッドとして機能する。
【００５０】
開口部２６ｘの底部に露出する配線層２３の表面に、表面処理層を形成してもよい。表面処理層の例としては、前述の通りである。なお、ソルダーレジスト層２６を形成する前に、各配線層２３の表面を粗化しておくと、配線層２３とソルダーレジスト層２６との密着性が向上し好適である。配線層２３の表面の粗化は、例えば、蟻酸を用いたウェットエッチングにより行うことができる。
【００５１】
図４（ｂ）に示す工程により、支持体１０の一方の面１０ａ上及び他方の面１０ｂ上に夫々配線部材２０が形成される。
【００５２】
次に、図４（ｃ）に示す工程では、シート分割を行い、複数の配線基板１を作製する。シート分割とは、支持体１０１と支持体１０２とを切り離し、支持体１０１上に配線部材２０が積層された配線基板１、及び支持体１０２上に配線部材２０が積層された配線基板１を作製することである。
【００５３】
シート分割を行うには、具体的には、支持体１０及びその両面に積層された各配線部材２０を、ルータ加工等により図２（ｂ）の２点鎖線Ｄに沿って厚さ方向に切断する。なお、図２（ｂ）において、２点鎖線Ｄで囲まれた各領域は、平面視において、銅箔１１の外縁部よりも内側の領域に配されている。すなわち、支持体１０１と支持体１０２との接着部分（支持体１０１の樹脂層１２の銅箔１１の下面（露出面）の外周側と支持体１０２の樹脂層１２の銅箔１１の上面（露出面）の外周側とが接している部分）よりも内側の領域に配されている。
【００５４】
そのため、シート分割により、各シートは、支持体１０１と支持体１０２との接着部分から切り離される。これにより、分割された各シートでは、支持体１０１の銅箔１１の下面と支持体１０２の銅箔１１の上面とが接しているだけの状態となる。その結果、図４（ｃ）のように、支持体１０１と支持体１０２とは、銅箔１１同士が接していた部分で容易に分割され、複数（この場合は２０個）の配線基板１が作製される。
【００５５】
なお、前述のように、支持体１０１と支持体１０２とは便宜上別符号としているだけで同一層構成の同一物であるから、支持体１０１上に配線部材２０が積層された配線基板１と、支持体１０２上に配線部材２０が積層された配線基板１は当然同じものである。
【００５６】
次に、図５（ａ）に示す工程では、配線基板１の配線部材２０上にバンプ７２を介して半導体チップ７１をフリップチップ実装する。具体的には、リフロー等により、配線基板１の開口部２６ｘから露出する配線層２３と、半導体チップ７１のパッド（図示せず）とをバンプ７２を介して接合する。バンプ７２としては、例えば、はんだボール等を用いることができる。はんだボールの材料としては、例えばＰｂを含む合金、ＳｎとＣｕの合金、ＳｎとＳｂの合金、ＳｎとＡｇの合金、ＳｎとＡｇとＣｕの合金等を用いることができる。なお、半導体チップ７１と配線部材２０との間にアンダーフィル樹脂を充填してもよい。その後、封止金型を用いたトランスファーモールド法等により、半導体チップ７１及びバンプ７２を封止する封止樹脂７３を形成する。封止樹脂７３としては、例えば、フィラーを含有した熱硬化性のエポキシ系樹脂等の絶縁性樹脂（所謂モールド樹脂）を用いることができる。
【００５７】
次に、図５（ｂ）に示す工程では、支持体１０１の一部を剥離する。具体的には、支持体１０１に機械的な力を加え、キャリア付き銅箔１３の薄箔１３ａと厚箔１３ｂとの界面を剥離する。前述のように、キャリア付き銅箔１３は、薄箔１３ａ上に剥離層（図示せず）を介して厚箔１３ｂが貼着された構造を有するため、厚箔１３ｂは、剥離層（図示せず）とともに薄箔１３ａから容易に剥離する。これにより、薄箔１３ａのみが配線部材２０の下面側に残り、支持体１０１を構成する他の部材（薄箔１３ａ以外の部材）が除去される。但し、剥離層とともに薄箔１３ａから厚箔１３ｂが剥離する場合の他に、剥離層内で凝集破壊が起こり、薄箔１３ａから厚箔１３ｂが剥離する場合もある。又、剥離層から厚箔１３ｂが剥離することで、薄箔１３ａから厚箔１３ｂを剥離する場合もある。
【００５８】
次に、図５（ｃ）に示す工程では、薄箔１３ａを除去して配線層２１の下面を露出させ、配線層２１の下面にバンプ７４を形成する。銅からなる薄箔１３ａは、例えば、過酸化水素／硫酸系水溶液や、過硫酸ナトリウム水溶液、過硫酸アンモニウム水溶液等を用いたウェットエッチングにより除去できる。配線層２１が銅からなる場合には、薄箔１３ａが除去された後に引く続き配線層２１の下面が除去されないように、エッチング時間を制御する必要がある。
【００５９】
必要に応じ、エッチング時間を長めに制御して、図６（ａ）に示すように、故意に配線層２１の下面を除去し凹部２１ｘを形成してもよい。この場合、配線層２１の下面が絶縁層２２の下面から窪んだ位置に露出するため、バンプ７４の形成が容易となる。なお、配線層２１の下面（外部に露出する面）に、薄箔１３ａのエッチング液では除去されない金（Ａｕ）層等を予め形成しておいてもよい。この場合には、金（Ａｕ）層等がエッチング停止層となるためエッチング時間の制御は不要となる。
【００６０】
バンプ７４としては、例えば、はんだボール等を用いることができる。はんだボールの材料としては、例えばＰｂを含む合金、ＳｎとＣｕの合金、ＳｎとＳｂの合金、ＳｎとＡｇの合金、ＳｎとＡｇとＣｕの合金等を用いることができる。
【００６１】
次に、図６（ｂ）に示す工程では、図５（ｃ）に示す構造体を、スライサー等を用いて破線Ｃの位置で切断することにより、配線部材２０上に半導体チップ７１が実装され封止樹脂７３が形成された半導体パッケージが複数個完成する。なお、図６（ａ）のように凹部２１ｘを形成した場合には、図６（ｃ）に示す半導体パッケージが複数個完成する。
【００６２】
このように、配線基板１の製造工程では、まず支持体１０２上に支持体１０１を積層した支持体１０を作製し、その後支持体１０の両面に夫々配線部材２０の各層を順次積層する。そのため、支持体１０により配線部材２０の剛性補助が可能となり、ハンドリング性を改善できる。又、配線部材２０の反りを抑制できる。又、支持体１０により配線部材２０の剛性が向上するため、配線基板１の製造工程における配線部材２０の歪みや伸縮の抑制が可能となり、アライメント精度を向上できる。
【００６３】
又、支持体１０を支持体１０１と支持体１０２とに分割した後も各配線部材２０は支持体１０１又は支持体１０２に積層されている。支持体１０１又は支持体１０２を構成する金属箔（銅箔）の層数と、配線部材２０を構成する配線層の層数とは同一であり、バランスが取れている。そのため、分割後も支持体１０１又は支持体１０２により配線部材２０の剛性補助が可能となり、ハンドリング性を改善でき、又、反りを抑制できる。
【００６４】
又、半導体パッケージの製造工程では、配線基板１の配線部材２０上に半導体チップ７１が実装され封止樹脂７３が形成された後に支持体１０１又は支持体１０２を除去する。これにより、支持体１０１又は支持体１０２を除去した後においても、封止樹脂７３の剛性により半導体パッケージ全体の剛性を維持できる。
【００６５】
〈第２の実施の形態〉
第２の実施の形態では、配線層が３層形成された支持体付き配線基板の例を示す。なお、第２の実施の形態において、既に説明した実施の形態と同一構成部についての説明は省略する場合がある。
【００６６】
［第２の実施の形態に係る配線基板の構造］
まず、第２の実施の形態に係る配線基板の構造について説明する。図７は、第２の実施の形態に係る配線基板を例示する断面図であり、図１（ａ）に対応する断面を示している。なお、平面図は、図１（ｂ）と同様とすることができる。図７を参照するに、配線基板１Ａは、支持体１０１が支持体１０３に置換され、配線部材２０が配線部材２０Ａに置換された点が配線基板１と相違する。
【００６７】
支持体１０３は、一方の側の最外層及び他方の側の最外層に夫々金属箔が配されるよう、金属箔と樹脂層とを交互に積層して形成されている。具体的には、支持体１０３は、銅箔１１１、樹脂層１２１、銅箔１１２、樹脂層１２２及びキャリア付き銅箔１３が順次積層した構造とされており、配線部材２０Ａを支持すると共に、配線基板１Ａ全体の強度を向上し、反りを低減する機能を有する。
【００６８】
支持体１０３において、銅箔１１１と銅箔１１２とは同一層厚としてもよいし、異なる層厚としてもよい。又、樹脂層１２１と樹脂層１２２とは同一層厚としてもよいし、異なる層厚としてもよい。銅箔１１１と銅箔１１２の層厚や、樹脂層１２１と樹脂層１２２の層厚を適宜調整することにより、支持体１０３を所望の強度にすることができる。このように、支持体１０１（図１参照）を構成する金属箔の層数が２層（銅箔１１及びキャリア付き銅箔１３）であったのに対し、支持体１０３を構成する金属箔の層数は３層（銅箔１１１、銅箔１１２及びキャリア付き銅箔１３）とされている。
【００６９】
配線部材２０Ａにおいて、絶縁層２２とソルダーレジスト層２６との間には、絶縁層２４及び配線層２５が積層されている。具体的には、絶縁層２４は、絶縁層２２の上面に、配線層２３を被覆するように形成されている。絶縁層２４の材料や厚さは、例えば、絶縁層２２と同様とすることができる。絶縁層２４は、シリカ（ＳｉＯ２）等のフィラーを含有しても構わない。
【００７０】
配線層２５は、絶縁層２４の一方の側に形成されており、配線層２３と電気的に接続されている。配線層２５は、絶縁層２４を貫通し配線層２３の上面を露出するビアホール２４ｘ内に充填されたビア配線、及び絶縁層２４の上面に形成された配線パターンを含んで構成されている。ビアホール２４ｘは、ソルダーレジスト層２６側に開口されている開口部の径が配線層２３の上面によって形成された開口部の底面の径よりも大となる逆円錐台状の凹部とされている。ビアホール２４ｘの開口部の径は、例えば５０〜１００μｍ程度とすることができる。配線層２５の材料や配線層２５を構成する配線パターンの厚さは、例えば、配線層２１と同様とすることができる。
【００７１】
ソルダーレジスト層２６の開口部２６ｘの底部には配線層２５の一部が露出している。開口部２６ｘの底部に露出する配線層２５は、例えば、半導体チップ等の電子部品と電気的に接続するための電子部品搭載用のパッドとして機能する。なお、本実施の形態では、パッドとなる配線層２５の側面とソルダーレジスト層２６の側面との間に隙間ができるように開口部２６ｘを設けている。しかし、パッドとなる配線層２５の側面とソルダーレジスト層２６の側面とが接するように開口部２６ｘを設けてもよい。又、第１の実施の形態と同様に、パッドとなる配線層２５の外縁部を被覆するように開口部２６ｘを設けてもよい。
【００７２】
［第２の実施の形態に係る配線基板等の製造方法］
次に、第２の実施の形態に係る配線基板の製造方法について説明する。又、第２の実施の形態に係る配線基板に半導体チップを搭載した半導体パッケージの製造方法について説明する。図８及び図９は、第２の実施の形態に係る配線基板の製造工程を例示する図である。図１０及び図１１は、第２の実施の形態に係る半導体パッケージの製造工程を例示する図である。
【００７３】
まず、図８に示す工程では、支持体１０Ａを作製する。図８は断面図であり、図２（ａ）に対応する断面を示している。なお、平面図は、図２（ｂ）と同様とすることができる。ここでは、樹脂層１２としてプリプレグを用いる例を示すが、要求される強度に応じて、ガラスクロス等を有しない樹脂のみから樹脂層１２を形成してもよい。なお、支持体１０Ａにおいて、支持体１０３を第１積層体、支持体１０４を第２積層体と称する場合がある。
【００７４】
支持体１０Ａを作製するには、ガラス繊維やアラミド繊維等の織布や不織布にエポキシ系樹脂等の樹脂を含侵させたプリプレグ１２ａ１及び１２ａ２を２個ずつ準備する。プリプレグ１２ａ１及び１２ａ２は、Ｂ−ステージ（半硬化状態）である。プリプレグ１２ａ１及び１２ａ２の平面形状は、例えば、縦及び横が４００〜５００ｍｍ程度の矩形状とすることができる。プリプレグ１２ａ１及び１２ａ２の厚さは、例えば、１０〜５０μｍ程度とすることができるが、前述のように、両者を必ずしも同一層厚としなくてもよい。
【００７５】
又、銅箔１１１及び１１２、薄箔１３ａ及び厚箔１３ｂを有するキャリア付き銅箔１３を２個ずつ準備する。キャリア付き銅箔１３の平面形状は、プリプレグ１２ａ１及び１２ａ２の平面形状よりも少し小さい矩形状とすることができる。銅箔１１１及び１１２の平面形状は、キャリア付き銅箔１３の平面形状よりも更に少し小さい矩形状とすることができる。銅箔１１１及び１１２の厚さは、例えば、７〜５０μｍ程度とすることができるが、前述のように、両者を必ずしも同一層厚としなくてもよい。キャリア付き銅箔１３の厚さ等は前述の通りである。
【００７６】
次に、図８矢印上側に示すように、一番下に、支持体１０４となるキャリア付き銅箔１３を薄箔１３ａを下側に向けて配し、厚箔１３ｂ上に、支持体１０４となるプリプレグ１２ａ２、銅箔１１２、プリプレグ１２ａ１及び銅箔１１１を順次積層する。更に、支持体１０３となる銅箔１１１、プリプレグ１２ａ１、銅箔１１２及びプリプレグ１２ａ２を順次積層し、更に、支持体１０３となるキャリア付き銅箔１３を薄箔１３ａを上側に向けて積層する。なお、各部材は、夫々の中心が略一致するように順次積層する。
【００７７】
次に、例えば、真空雰囲気で１９０〜２３０℃程度の温度で各プリプレグ１２ａ１及び１２ａ２を加熱しながら、支持体１０３となるキャリア付き銅箔１３を支持体１０４となるキャリア付き銅箔１３側に押圧して各プリプレグ１２ａ１及び１２ａ２を硬化させる。これにより、図８の矢印下側に示すように、各プリプレグ１２ａ１及び１２ａ２が硬化して樹脂層１２１及び１２２となり、支持体１０４と支持体１０３とが積層された支持体１０Ａが作製される。
【００７８】
支持体１０３では、キャリア付き銅箔１３が樹脂層１２２の上面側に埋設されて樹脂層１２２と接着され、銅箔１１２が樹脂層１２２の下面側及び樹脂層１２１の上面側に埋設されて樹脂層１２１及び１２２と接着されている。キャリア付き銅箔１３の上面（薄箔１３ａの上面）は樹脂層１２２の上面から露出しており、キャリア付き銅箔１３の側面は樹脂層１２２に被覆されている。キャリア付き銅箔１３の薄箔１３ａの上面は、例えば、樹脂層１２２の上面と面一とすることができる。又、銅箔１１１が樹脂層１２１の下面側に埋設されて樹脂層１２１と接着されている。銅箔１１１の下面は樹脂層１２１の下面から露出しており、銅箔１１１の側面は樹脂層１２１に被覆されている。銅箔１１１の下面は、例えば、樹脂層１２１の下面と面一とすることができる。
【００７９】
支持体１０４は、便宜上、支持体１０３と別符号としているが、上下が反転しているだけで、支持体１０３と同一層構成の同一物である。支持体１０３の銅箔１１１の下面（露出面）と支持体１０４の銅箔１１１の上面（露出面）とは接しているが、両者は接着はされていない。支持体１０３の樹脂層１２１の銅箔１１１の下面（露出面）の外周側（銅箔１１１が存在していない領域）と支持体１０４の樹脂層１２１の銅箔１１１の上面（露出面）の外周側（銅箔１１１が存在していない領域）とは接着されている。
【００８０】
次に、図９（ａ）に示す工程では、第１の実施の形態の図３（ａ）〜図４（ｂ）と同様の工程により、支持体１０Ａの一方の面１０ａ（支持体１０３上）に配線層及び絶縁層を交互に積層して配線部材２０Ａを作製する。そして、支持体１０Ａの他方の面１０ｂ（支持体１０４上）に配線層及び絶縁層を交互に積層して配線部材２０Ａを作製する。なお、絶縁層２４、ビアホール２４ｘ、及び配線層２５は、例えば、絶縁層２２、ビアホール２２ｘ、及び配線層２３と同様にして作製できる。
【００８１】
次に、図９（ｂ）に示す工程では、第１の実施の形態の図４（ｃ）と同様の工程によりシート分割を行い、複数の配線基板１Ａを作製する。シート分割により、各シートは、支持体１０３と支持体１０４との接着部分から切り離される。これにより、分割された各シートでは、支持体１０３の銅箔１１１の下面と支持体１０４の銅箔１１１の上面とが接しているだけの状態となる。その結果、図９（ｂ）のように、支持体１０３と支持体１０４とは、銅箔１１１同士が接していた部分で容易に分割され、複数（この場合は２０個）の配線基板１Ａが作製される。
【００８２】
なお、前述のように、支持体１０３と支持体１０４とは便宜上別符号としているだけで同一層構成の同一物であるから、支持体１０３上に配線部材２０Ａが積層された配線基板１Ａと、支持体１０４上に配線部材２０Ａが積層された配線基板１Ａは当然同じものである。
【００８３】
次に、図１０（ａ）に示す工程では、配線基板１Ａ上に接着層７５（ダイアタッチフイルム等）を介して半導体チップ７６をフェイスアップ状態で実装する。そして、ボンディング装置により、配線基板１の開口部２６ｘから露出する配線層２５と、半導体チップ７６のパッド（図示せず）とをボンディングワイヤ７７を介して接合する。ボンディングワイヤ７７としては、例えば、銅線や金線等を用いることができる。その後、封止金型を用いたトランスファーモールド法等により、半導体チップ７６及びボンディングワイヤ７７を封止する封止樹脂７３を形成する。
【００８４】
次に、図１０（ｂ）に示す工程では、第１の実施の形態の図５（ｂ）と同様の工程により支持体１０３の一部を剥離する。これにより、薄箔１３ａのみが配線部材２０Ａの下面側に残り、支持体１０３を構成する他の部材（薄箔１３ａ以外の部材）が除去される。
【００８５】
次に、図１０（ｃ）に示す工程では、第１の実施の形態の図５（ｃ）と同様の工程により薄箔１３ａを除去して配線層２１の下面を露出させ、配線層２１の下面にバンプ７４を形成する。
【００８６】
次に、図１１に示す工程では、図１０（ｃ）に示す構造体を、スライサー等を用いて破線Ｃの位置で切断することにより、配線部材２０Ａ上に半導体チップ７６が実装され封止樹脂７３が形成された半導体パッケージが複数個完成する。
【００８７】
このように、配線基板１Ａにおいても、支持体１０３又は支持体１０４を構成する金属箔（銅箔）の層数と、配線部材２０Ａを構成する配線層の層数を同一（共に３層）としている。そのため、配線基板１と同様の効果を奏する。又、支持体１０３全体又は支持体１０４全体の厚さと配線部材２０Ａ全体の厚さとの好適な関係や、樹脂層と絶縁層との好適な組成についても第１の実施の形態の場合と同様である。
【００８８】
〈第２の実施の形態の変形例〉
第２の実施の形態の変形例では、配線層が３層形成された支持体付き配線基板の他の例を示す。又、第２の実施の形態とは異なる構造の半導体パッケージ（電子部品内蔵基板）を例示する。なお、第２の実施の形態の変形例において、既に説明した実施の形態と同一構成部についての説明は省略する場合がある。
【００８９】
図１２は、第２の実施の形態の変形例に係る配線基板を例示する断面図であり、図１（ａ）に対応する断面を示している。なお、平面図は、図１（ｂ）と同様とすることができる。図１２を参照するに、配線基板１Ｂは、ソルダーレジスト層２６の開口部２６ｘの位置と個数が配線基板１Ａ（図７参照）と相違する。本実施の形態では、パッドとなる配線層２５の外縁部を被覆するように開口部２６ｘを設けている。開口部２６ｘは、配線部材２０Ｂの外縁部に、例えば、ペリフェラル状に２列に配置することができる。
【００９０】
図１３〜図１５は、第２の実施の形態の変形例に係る半導体パッケージ（電子部品内蔵基板）の製造工程を例示する図である。図１３（ａ）に示す工程では、第２の実施の形態と同様の製造工程により作製した配線基板１Ｂの開口部２６ｘ内に露出する配線層２５上にはんだボール９５を実装する。はんだボール９５は、例えば、銅コアボール９５ａの周囲をはんだ９５ｂで覆った構造とすることができる。この場合、はんだ９５ｂを溶融後凝固させて、はんだボール９５と配線層２５とを接合する。
【００９１】
次に、図１３（ｂ）に示す工程では、後工程で配線基板１Ｂと接合する配線基板８０を周知の方法により作製する。配線基板８０において、コア層８１上面には配線層８２、絶縁層８３、配線層８４、及びソルダーレジスト層８５が積層され、ソルダーレジスト層８５には配線層８４を選択的に露出する開口部８５ｘ及び８５ｙが設けられている。開口部８５ｘ内に露出する配線層８４は半導体チップ７８と接続するためのパッドであり、開口部８５ｙ内に露出する配線層８４は配線基板１Ｂと接続するためのパッドである。
【００９２】
コア層８１下面には配線層８６、絶縁層８７、配線層８８、及びソルダーレジスト層８９が積層され、ソルダーレジスト層８９には配線層８８を選択的に露出する開口部８９ｘが設けられている。開口部８９ｘ内に露出する配線層８８は外部接続端子を形成するためのパッドである。配線層８２と配線層８６とは、コア層８１を貫通する貫通配線９０により電気的に接続されている。
【００９３】
次に、配線基板８０上に半導体チップ７８をフェイスダウン状態でフリップチップ実装する。具体的には、リフロー等により、配線基板８０の開口部８５ｘから露出する配線層８４と、半導体チップ７８のパッド（図示せず）とをバンプ７２を介して接合する。その後、半導体チップ７８と配線基板８０との間にアンダーフィル樹脂７９を充填する。なお、配線基板８０上にキャパシタやインダクタ等の半導体チップ以外の電子部品を搭載してもよい。
【００９４】
次に、図１３（ｃ）に示す工程では、配線基板１Ｂと配線基板８０とを接合し、封止樹脂９８を形成する。具体的には、はんだボール９５のはんだ９５ｂが開口部８５ｙから露出する配線層８４の上面と接するように、配線基板８０上に配線基板１Ｂを配置する。この際、半導体チップ７８と配線基板１Ｂのソルダーレジスト層２６とが接しないように、はんだボール９５の銅コアボール９５ａの径が決定されている。
【００９５】
次に、配線基板１Ｂを配線基板８０に対して押圧しながらリフローを行い、はんだ９５ｂを溶融後凝固させて、はんだボール９５を介してと配線層２５と配線層８４とを接合する。この際、銅コアボール９５ａが配線層２５の下面及び配線層８４の上面と接した状態ではんだ９５ｂが凝固するため、銅コアボール９５ａがスペーサ部材として機能し、配線基板１Ｂと配線基板８０との間隔が所定値に維持される。その後、封止金型を用いたトランスファーモールド法等により、配線基板１Ｂと配線基板８０との間に封止樹脂９８を形成する。封止樹脂９８としては、例えば、フィラーを含有した熱硬化性のエポキシ系樹脂等の絶縁性樹脂（所謂モールド樹脂）を用いることができる。
【００９６】
次に、図１４（ａ）に示す工程では、第１の実施の形態の図５（ｂ）と同様の工程により支持体１０３の一部を剥離する。薄箔１３ａのみが配線部材２０Ｂの上面側に残り、支持体１０３の薄箔１３ａ以外の部分が除去される。次に、図１４（ｂ）に示す工程では、第１の実施の形態の図５（ｃ）と同様の工程により薄箔１３ａを除去して配線層２１の上面を露出させ、配線基板８０のソルダーレジスト層８９の開口部８９ｘから露出する配線層８８の下面にバンプ７４を形成する。
【００９７】
次に、図１５に示す工程では、図１４（ｂ）に示す構造体を、スライサー等を用いて破線Ｃの位置で切断することにより、半導体チップ７８を有する配線基板８０上に配線部材２０Ｂが搭載された半導体パッケージ（電子部品内蔵基板）が複数個完成する。
【００９８】
このように、配線基板１Ｂにおいても、支持体１０３又は支持体１０４を構成する金属箔（銅箔）の層数と、配線部材２０Ｂを構成する配線層の層数を同一（共に３層）としている。そのため、配線基板１及び１Ａと同様の効果を奏する。又、支持体１０３全体又は支持体１０４全体の厚さと配線部材２０Ｂ全体の厚さとの好適な関係や、樹脂層と絶縁層との好適な組成についても第１及び第２の実施の形態の場合と同様である。
【００９９】
以上、好ましい実施の形態等について詳説したが、上述した実施の形態等に制限されることはなく、特許請求の範囲に記載された範囲を逸脱することなく、上述した実施の形態等に種々の変形及び置換を加えることができる。
【０１００】
例えば、上記実施の形態では、銅箔やキャリア付き銅箔を用いる例を示したが、銅に代えて、銅合金やアルミニウム、ニッケル、亜鉛等の金属を用いた金属箔やキャリア付き金属箔を用いてもよい。
【符号の説明】
【０１０１】
１、１Ａ、１Ｂ、８０  配線基板
１０、１０Ａ、１０１、１０２、１０３、１０４  支持体
１０ａ  支持体１０の一方の面
１０ｂ  支持体１０の他方の面
１１、１１１、１１２  銅箔
１２、１２１、１２２  樹脂層
１２ａ、１２ａ１、１２ａ２  プリプレグ
１３  キャリア付き銅箔
１３ａ  薄箔
１３ｂ  厚箔（キャリア箔）
２０、２０Ａ、２０Ｂ  配線部材
２１、２３、２５、８２、８４、８６、８８  配線層
２１ｘ  凹部
２２、２４、８３、８７  絶縁層
２２ｘ、２４ｘ  ビアホール
２６、８５、８９  ソルダーレジスト層
２６ｘ、８５ｘ、８５ｙ、８９ｘ  開口部
７１、７６、７８  半導体チップ
７２、７４  バンプ
７３、９８  封止樹脂
７５  接着層
７７  ボンディングワイヤ
７９  アンダーフィル樹脂
８１  コア層
９０  貫通配線
９５  はんだボール
９５ａ  銅コアボール
９５ｂ  はんだ
【図１】
0006358887.tif 000002
【図２】
0006358887.tif 000003
【図３】
0006358887.tif 000004
【図４】
0006358887.tif 000005
【図５】
0006358887.tif 000006
【図６】
0006358887.tif 000007
【図７】
0006358887.tif 000008
【図８】
0006358887.tif 000009
【図９】
0006358887.tif 000010
【図１０】
0006358887.tif 000011
【図１１】
0006358887.tif 000012
【図１２】
0006358887.tif 000013
【図１３】
0006358887.tif 000014
【図１４】
0006358887.tif 000015
【図１５】
0006358887.tif 000016